(57)【要約】【課題】充電式のねじ締め機等において、ねじ締め部位を明るく照らすための照明具を備えたものが提供されている。従来Ｔ型ハンドルタイプのねじ締め機では、照明具は、ねじ締め部位に極力近い部位であっても工具本体部の前部から側方へはみ出す状態に設けられていたため、ねじ締め部位の視認性が損なわれる問題があった。アングルタイプのねじ締め機では、照明具はねじ締め部位から離れた部位に配置されていたため明るさが不十分で視認性が損なわれていた。本発明は、照明具によってねじ締め部位の視認性が損なわれないようにする。【解決手段】ねじ締め部位を明るく照らす照明具として、工具本体部１０に対して脱着可能なアタッチメント形式の照明アタッチメント４０とする。光源をねじ締め部位に接近させて明るさを確保するとともに、照明アタッチメント４０は不必要時には取り外し可能とすることにより、ねじ締め部位の視認性を確保することができる。【選択図】図１
2018008356.tif 000002
【特許請求の範囲】
【請求項１】
発光する光源を有し、動力工具に着脱可能な照明アタッチメント。
【請求項２】
請求項１記載の照明アタッチメントであって、前記動力工具から電力を受けて前記光源を発光させる照明アタッチメント。
【請求項３】
請求項１又は２記載の照明アタッチメントであって、前記動力工具の出力部に向けて光を照射する光源を備えた照明アタッチメント。
【請求項４】
請求項１〜３の何れか１項に記載した照明アタッチメントを着脱可能に取り付けた動力工具。
【請求項５】
請求項４記載の動力工具であって、駆動源としての電動モータの出力軸線に対して出力部としての先端刃具を取り付けたスピンドルの軸線が交差するアングル形の動力工具。
【請求項６】
ねじ締め方向に打撃を与えるインパクト機構を内装した回転打撃工具であって、前記インパクト機構を内装する金属製のハンマーケースと、該ハンマーケースの外面を覆うハンマーケースカバーを備え、該ハンマーケースカバーに、通電により発光して出力部に向けて光を照射する光源を有する照明具を備えた回転打撃工具。
【請求項７】
請求項６記載の回転打撃工具であって、前記照明具と前記出力部との間に衝撃吸収用のバンパを備えており、該バンパに前記照明具の光を透過する光透過部を設けた回転打撃工具。
【請求項８】
請求項７記載の回転打撃工具であって、前記照明具の光源と前記出力部とを結ぶ線上に前記光透過部を配置した回転打撃工具。
【請求項９】
請求項６〜８の何れか１項に記載した回転打撃工具であって、前記ハンマーケースカバーの出力部側の端部に前記照明具を備えた回転打撃工具。
【請求項１０】
発光する光源として有機ＥＬを備えた動力工具。
【請求項１１】
請求項１０記載の動力工具であって、前記有機ＥＬが加工部位に向けられた動力工具。
【請求項１２】
請求項１０又は１１記載の動力工具であって、ねじ締め方向に打撃を与えるインパクト機構と、該インパクト機構を内装する金属製のハンマーケースと、該ハンマーケースの外面を覆う樹脂製のハンマーケースカバーと、該ハンマーケースカバーの前部に位置する衝撃吸収用のバンパと、工具本体部の動作状態を表示する表示部とを備えており、前記ハンマーケースカバー又は前記バンパ又は前記表示部に前記有機ＥＬを備えた動力工具。
【請求項１３】
光を透過する透光性部材を備えた動力工具であって、前記透光性部材を透過して、ロゴマーク等の文字等表示部を視認可能な動力工具。
【請求項１４】
請求項１３記載の動力工具であって、前記透光性部材の内面に前記文字等表示部を設けた動力工具。
【請求項１５】
請求項１３又は１４記載の動力工具であって、ねじ締め方向に打撃を与えるインパクト機構と、該インパクト機構を内装する金属製のハンマーケースと、該ハンマーケースの外面を覆う樹脂製のハンマーケースカバーと、該ハンマーケースカバーの前部に位置する衝撃吸収用のバンパを備えており、前記ハンマーケースカバー及び／又は前記バンパを前記透光性部材として、該ハンマーケースカバー及び／又は前記バンパを透過して前記文字等表示部を視認可能な動力工具。
【請求項１６】
請求項１３〜１５のいずれか１項に記載した動力工具であって、前記文字等表示部に反射材を含めた動力工具。
【発明の詳細な説明】
【技術分野】
【０００１】
この発明は、例えばねじ締め作業に用いるねじ締め機等の動力工具に関する。
【背景技術】
【０００２】
下記の特許文献には、例えば建築現場等で用いる手持ち式のねじ締め機に関する技術が開示されている。この種の動力工具は、ねじ締め方向に打撃を与えるインパクト式のねじ締め工具で、駆動源としての電動モータを内装した工具本体部と、使用者が把持するグリップ部と、グリップ部の先端部に設けられた電源部を備えている。特許文献１，２に開示されたねじ締め機では、グリップ部は、工具本体部の側部から側方へ突き出す状態に設けられている。特許文献３に開示されたねじ締め機では、工具本体部にグリップ部としての機能が併せ持たせられている。電源部は、工具本体部に電源を供給する部位で、各特許文献に開示されているように、電源を直流電源とする場合には、例えば出力電圧が１８Ｖのリチウムイオンバッテリが取り付けられる。グリップ部には、使用者が把持した手の指先で引き操作するトリガ形式のスイッチレバーと、このスイッチレバーの引き操作によりオンするスイッチ本体が組み込まれている。スイッチレバーのオン操作によりこのスイッチ本体がオンすると電動モータが起動してねじ締め作業を行うことができる。
【０００３】
特許文献１、３に開示されているようにこれらねじ締め機には、ビット先端部（ねじ締め部位）を明るく照らすための照明具が備え付けられている。照明具は、ビット先端部に極力接近させて直接光が照射される部位に配置されており、暗所等でのねじ締め作業を効率よく行うことができるようになっている。
【先行技術文献】
【特許文献】
【０００４】
【特許文献１】特許第５５８７８０１号公報
【特許文献２】特許第５６９８５４６号公報
【特許文献３】特開２０１４−２００８８４号公報
【発明の概要】
【発明が解決しようとする課題】
【０００５】
しかしながら、上記従来の動力工具については、特にその照明具について次の点で改善を施す必要があった。従来、光源としてのＬＥＤ（発光ダイオード）からねじ締め部位に向けて直接光を照射させるため照明具は側方へ張り出す状態に配置されていた。このため、照明具が使用者の視線を遮る状態で配置されてねじ締め部位等の出力部の視認性が損なわれる問題があった。また、ねじ締め部位から離れた部位に光源が配置されていたため、ねじ締め部位の明るさが不十分で視認性をより高める必要があった。
【０００６】
本発明は、係る従来の問題に鑑みてなされたもので、照明具による動力工具の出力部の視認性を高めることを目的とする。
【課題を解決するための手段】
【０００７】
上記の課題は、以下の各発明により解決される。第１の発明は、発光する光源を有し、動力工具に着脱可能な照明アタッチメントである。
【０００８】
第１の発明によれば、不必要時には照明アタッチメントを取り外すことにより、動力工具の出力部の視認性が確保される。
【０００９】
第２の発明は、第１の発明において、動力工具から電力を受けて光源を発光させる照明アタッチメントである。
【００１０】
第２の発明によれば、照明アタッチメント側に電源を備える必要がなく、この点で当該照明アタッチメントのコンパクト化を図ることができる。照明アタッチメントをコンパクト化することにより、動力工具への取り付け状態においても当該動力工具の出力部の視認性を高めることができる。
【００１１】
第３の発明は、第１又は第２の発明において、動力工具の出力部に向けて光を照射する光源を備えた照明アタッチメントである。
【００１２】
第３の発明によれば、照明アタッチメントの光源から照射された光により、出力部が明るく照らされて作業の便宜が図られる。
【００１３】
第４の発明は、第１〜第３の何れか一つの発明に係る照明アタッチメントを着脱可能に取り付けた動力工具である。
【００１４】
第４の発明によれば、照明アタッチメントを取り付けた状態では出力部の視認性が阻害される場合であっても、照明アタッチメントを取り外すことにより出力部の視認性を確保することができる。
【００１５】
第５の発明は、第４の発明において、駆動源としての電動モータの出力軸線に対して出力部としての先端刃具を取り付けたスピンドルの軸線が交差するアングル形の動力工具である。
【００１６】
第５の発明によれば、例えばディスクグラインダのようなアングル形の動力工具について、照明具アタッチメントにより出力部の視認性が阻害される場合であっても、当該照明具アタッチメントを取り外すことにより視認性を確保することができる。
【００１７】
第６の発明は、ねじ締め方向に打撃を与えるインパクト機構を内装した回転打撃工具である。第６の発明では、インパクト機構を内装する金属製のハンマーケースと、ハンマーケースの外面を覆うハンマーケースカバーを備え、ハンマーケースカバーに、通電により発光して出力部に向けて光を照射する光源を有する照明具を備えた回転打撃工具である。
【００１８】
第６の発明によれば、ハンマーケースカバーに、例えば光源としてのＬＥＤとこれが搭載された基板を含む照明具が配置されている。このため、照明具用の基板を切り離した制御基板が小型化されて、その配置の自由度を高めることができる。
【００１９】
第７の発明は、第６の発明において、照明具と出力部との間に衝撃吸収用のバンパを備えており、このバンパに照明具の光を透過する光透過部を設けた回転打撃工具である。
【００２０】
第７の発明によれば、バンパにより照明具の光が遮られることがなく、出力部（ねじ締め部位）を十分に明るく照らすことができる。
【００２１】
第８の発明は、第７の発明において、照明具の光源と出力部とを結ぶ線上に透過部を配置した回転打撃工具である。
【００２２】
第８の発明によれば、光源から発せられた光はバンパの透過部を経て出力部に照射され、これによりねじ締め部位が明るく照らされて作業の便宜が図られる。
【００２３】
第９の発明は、第６〜第８の何れか一つの発明において、ハンマーケースカバーの出力部側の端部に前記照明具を備えた回転打撃工具である。
【００２４】
第９の発明によれば、出力部に極力接近させて照明具を配置される。出力部に近接した部位から光が照射されるので、ねじ締め部位がより明るく照らされて作業の便宜が図られる。
【００２５】
第１０の発明は、発光する光源として有機ＥＬを備えた動力工具である。
【００２６】
第１０の発明によれば、有機ＥＬを照明具として機能させることができる。第１０の発明は、ねじ締め機、穴あけ用の電気ドリル、グラインダ、マルチツール、ハンマードリル、サンダー、ポリッシャー、切断機、打ち込み工具等の各種動力工具に広く適用することができる。
【００２７】
第１１の発明は、第１０の発明において、有機ＥＬが加工部位に向けられた動力工具である。
【００２８】
第１１の発明によれば、有機ＥＬから照射された光によって加工部位が明るく照らされて作業の便宜を図ることができる。
【００２９】
第１２の発明は、第１０又は第１１の発明において、ねじ締め方向に打撃を与えるインパクト機構と、該インパクト機構を内装する金属製のハンマーケースと、該ハンマーケースの外面を覆う樹脂製のハンマーケースカバーと、該ハンマーケースカバーの前部に位置する衝撃吸収用のバンパと、工具本体部の動作状態を表示する表示部とを備えた動力工具である。第１１の発明では、ハンマーケースカバー又はバンパ又は表示部に有機ＥＬを備えた構成となっている。
【００３０】
第１２の発明によれば、ハンマーケースカバー又はバンパ又は表示部を発光させて照明具として機能させることができる。
【００３１】
第１３の発明は、光を透過する透光性部材を備えた動力工具である。第１０の発明では、透光性部材を透過して、ロゴマーク等の文字等表示部を視認可能な構成となっている。
【００３２】
第１３の発明によれば、ロゴマーク等の文字等表示部の表示部位を従来用いられていない部位にまで拡大することができる。これにより、ロゴマーク等の文字等表示部の表示部位選択の自由度を高めることができ、動力工具の小型化を図りつつ文字等表示部の視認性を確保することができる。
【００３３】
第１４の発明は、第１３の発明において、透光性部材の内面に文字等表示部を設けた動力工具である。
【００３４】
第１４の発明によれば、透光性部材を透過して文字等表示部を視認することができる。文字等表示部が透光性部材の内面に表示されていることにより、透光性部材の組み付けと同時に文字等表示部の表示が完了し、この点で当該文字等表示部の表示工程の簡略化を図ることができる。
【００３５】
第１５の発明は、第１３又は第１４の発明において、ねじ締め方向に打撃を与えるインパクト機構と、該インパクト機構を内装する金属製のハンマーケースと、該ハンマーケースの外面を覆う樹脂製のハンマーケースカバーと、該ハンマーケースカバーの前部に位置する衝撃吸収用のバンパを備えた動力工具である。第１５の発明では、ハンマーケースカバー及び／又はバンパを透光性部材とする構成となっている。第１５の発明では、ハンマーケースカバー及び／又はバンパを透過して文字等表示部を視認可能な構成となっている。
【００３６】
第１５の発明によれば、ねじ締め方向に打撃を与えるインパクトねじ締め機（回転打撃工具）について、第１３又は第１４の発明に係る作用効果と同じ作用効果を得ることができる。透光性部材としてのハンマーケースカバー及び／又はバンパはねじ締め部位に近い部位に位置するものであることから、ねじ締め部位を視認しつつ行うねじ締め作業において、同時にロゴ等の文字等表示部を目視しやすくなり、この点で文字等表示部の視認性を高めることができる。
【００３７】
第１６の発明は、第１３〜第１５の何れか一つの発明において、文字等表示部に、例えばメタリック塗装等の反射材を含めた動力工具である。
【００３８】
第１６の発明によれば、文字等表示部の文字等が反射材で表記され、あるいは文字等が反射材で枠取りされ、あるいは文字等が反射材を背景として表記されることにより、当該文字等表示部の視認性を一層高めることができる。
【図面の簡単な説明】
【００３９】
【図１】本発明の第１実施形態に係る動力工具の全体縦断面図である。
【図２】本発明の第１実施形態に係る動力工具の前部斜視図である。
【図３】照明アタッチメントの斜視図である。本図は、左側斜め前方から見た状態を示している。
【図４】照明アタッチメントの縦断面図である。
【図５】本発明の第２実施形態に係る回転打撃工具の斜視図である。
【図６】第２実施形態に係る回転打撃工具の前面図である。
【図７】第２実施形態に係る回転打撃工具の工具本体部の縦断面図である。
【図８】第２実施形態に係る照明具の基板の前面図である。
【図９】図７の(IX)部拡大図であって、照明具の上部周辺の縦断面図である。
【図１０】照明具の配線接続部周辺の横断面斜視図である。
【図１１】回転打撃工具の工具本体部の前部斜視図である。
【図１２】回転打撃工具の工具本体部の前部斜視図である。
【図１３】第３実施形態に係る回転打撃工具の全体斜視図である。
【図１４】第３実施形態に係る回転打撃工具の全体側面図である。
【図１５】表示部の縦断面図である。
【図１６】表示部の正面図である。
【発明を実施するための形態】
【００４０】
次に、本発明の実施形態を図１〜図１６に基づいて説明する。図１に示すように第１実施形態では、動力工具としてアングルタイプのインパクトねじ締め機１（回転打撃工具）を例示する。このインパクトねじ締め機１は、使用者が把持するグリップ部を兼ねたほぼ円柱体形の工具本体部１０と、工具本体部１０の前部に結合した出力部２０と、工具本体部１０の後部に結合した電源部３０を備えている。使用者は、工具本体部１０を例えば右手で把持して当該インパクトねじ締め機１を用いる。図示するように以下の説明では、使用者を基準として前後左右方向及び上下方向を用いる。使用者から見て出力部２０が前側であり、電源部３０が後ろ側（手前側）となる。
【００４１】
工具本体部１０は概ね円筒形状の本体ハウジング１１の長手方向ほぼ中央に駆動源としての電動モータ１２を内装した構成を備えている。工具本体部１０の下面側には、大型のスイッチレバー１３が設けられている。本体ハウジング１１の後部側にスイッチ本体１４が内装されている。使用者が工具本体部１０を把持した手の指先でスイッチレバー１３を上方へ引き操作すると、スイッチ本体１４がオンする。スイッチ本体１４がオンすると電動モータ１２が起動する。スイッチレバー１３の引き操作を解除すると、スイッチ本体１４がオフして電動モータ１２が停止する。
【００４２】
本体ハウジング１１の前側に、一組の遊星ギヤ列１５と打撃機構１６が組み込まれている。電動モータ１２の出力軸に取り付けた駆動ギヤ１２ａは、遊星ギヤ列１５の太陽ギヤとして噛み合わされている。遊星ギヤ列１５のキャリアに駆動軸部１５ａが一体に設けられている。駆動軸部１５ａが打撃機構１６に結合されている。打撃機構１６は、駆動軸部１５ａとその周囲に同軸に配置した円筒形のハンマー１６ｃとの間に２つの鋼球１６ａを介装し、ハンマー１６ｃを圧縮ばね１６ｂを介して前方へ付勢した構成を備えている。ハンマー１６ｃは、駆動軸部１５ａに同軸に配置したアンビル１６ｄに対して圧縮ばね１６ｂの付勢力により回転について一体に結合されている。
【００４３】
２つの鋼球１６ａは、駆動軸部１５ａに設けたカム溝に嵌り込んでいる。カム溝は、駆動軸部１５ａの軸線に対して傾斜する方向に延びている。また、２つの鋼球１６ａは、ハンマー１６ｃの内周面側に設けた規制溝に嵌り込んでいる。規制溝は、ハンマー１６ｃの軸線に沿って延びている。ねじ締め抵抗が小さいねじ締め初期段階では、ハンマー１６ｃとアンビル１６ｄが回転について一体化されて、駆動軸部１５ａの回転動力がアンビル１６ｄに出力される。ねじ締めが進行してアンビル１６ｄを経てハンマー１６ｃに大きな回転抵抗（ねじ締め抵抗）が付加されると、ハンマー１６ｃは駆動軸部１５ａに対して相対回転しつつ圧縮ばね１６ｂに抗して軸方向に後退する。アンビル１６ｄから離間してハンマー１６ｃに付加される回転抵抗が小さくなると、ハンマー１６ｃがねじ締め方向に回転しつつ圧縮ばね１６ｂの付勢力により前進する。ハンマー１６ｃがねじ締め方向に回転しつつ前進することによりアンビル１６ｄがねじ締め方向に打撃されて増し締めされる。
【００４４】
打撃機構１６を経て工具本体部１０の前部に出力部２０が結合されている。本体ハウジング１１の前部に出力部２０の出力部ハウジング２１が結合されている。出力部ハウジング２１はアルミ鋳物製で、本体ハウジング１１とほぼ同径のインパクトケース部２１ａと、より小径で下方へ屈曲した側面視Ｌ字形のギヤケース部２１ｂを一体に有している。インパクトケース部２１ａに遊星ギヤ列１５と打撃機構１６が内装され、ギヤケース部２１ｂにギヤ列が内装されている。打撃機構１６のアンビル１６ｄは、軸受１６ｅを介してインパクトケース部２１ａの前部に回転自在に支持されている。アンビル１６ｄの回転出力は、中間軸２２を介して出力軸２３に伝達される。中間軸２２の前部には駆動側かさ歯車２２ａが設けられている。
【００４５】
中間軸２２は、前後の軸受２２ｂを介してインパクトケース部２１ａに対して回転自在に支持されている。駆動側かさ歯車２２ａは、従動側かさ歯車２３ａに噛み合わされている。従動側かさ歯車２３ａは、出力軸２３に結合されている。駆動側かさ歯車２２ａと従動側かさ歯車２３ａとの噛み合いを経て、出力軸２３は、中間軸２２ひいては電動モータ１２の出力軸に対して直交する軸線回りに回転自在に支持されている（アングルタイプ）。出力軸２３は、上下に軸受２３ｂ，２３ｃを介してギヤケース部２１ｂの前部に回転自在に支持されている。ギヤケース部２１ｂに収容された中間軸２２と出力軸２３がギヤケース部２１ｂに収容され、これらがギヤヘッド部を構成している。ギヤケース部２１ｂの前部は、下方へ向けて開口されている。出力部ハウジング２１の開口から出力軸２３が下方へ突き出されている。突き出された部分には、先端工具としてねじ締めビット２５を取り付けるためのビット取付装置２４が設けられている。
【００４６】
工具本体部１０の後部に設けた電源部３０は、本体ハウジング１１から側方へ張り出す概ね平板形状を有している。電源部３０の後面に沿って上下にスライドさせることにより電源としてのバッテリパック３１を取り付け、取り外しすることができる。図１は、バッテリパック３１を電源部３０に取り付けた状態を示している。この取り付け状態から下方へスライドさせることによりバッテリパック３１を取り外すことができる。バッテリパック３１は、他のねじ締め機や切断工具等の電動工具にも利用できる汎用性の高いリチウムイオンバッテリで、別途用意した充電器で充電することにより繰り返し使用することができる。バッテリパック３１を電源部３０に対して取り付けると、当該バッテリパック３１が電源回路に電気的に接続されて電源供給可能な状態となる。
【００４７】
本実施形態のインパクトねじ締め機１には、照明アタッチメント４０を取り付けることができる。図１及び図２に示すように照明アタッチメント４０は、出力部２０の下面に沿って取り付けられている。図３及び図４に取り外した状態の照明アタッチメント４０が示されている。照明アタッチメント４０は、基台部４１と照明具４２と接続部４４を備えている。基台部４１は、樹脂製でその前部にそれぞれ半円形の受け部４１ａとホルダ部４１ｂが設けられている。受け部４１ａとホルダ部４１ｂとの間に、インパクトケース部２１ａよりも小径であるギヤケース部２１ｂの後部（首部）を挟み込んで、当該照明アタッチメント４０が取り付けられる。ホルダ部４１ｂは２本の固定ねじ４３により受け部４１ａに対して結合される。
【００４８】
基台部４１の前部に照明具４２が取り付けられている。照明具４２は、基板に搭載したＬＥＤ（発光ダイオード）で、その照射方向は前方斜め下方であってねじ締めビット２５の先端部(ねじ締め部位）に向けられている。基台部４１は、ギヤケース部２１ｂの後部からインパクトケース部２１ａの後部付近まで延びている。基台部４１の後部に、接続部４４が設けられている。図では省略されているが、照明具４２は接続部４４に電気的に接続されている。
【００４９】
接続部４４は、工具本体部１０の下面前部に設けた接続受け部４５に対して機械的かつ電気的に接続される。接続部４４は、接続受け部４５に対して差込み接続（コネクタ接続）される。接続受け部４５には、照明具４２を点灯させるために必要な電力が図示省略した電気配線を経て供給されている。接続受け部４５には、電源部３０に取り付けたバッテリパック３１の電力の一部が供給される。
【００５０】
接続部４４を接続受け部４５に接続し、かつ出力部ハウジング２１を間に挟み込んでホルダ部４１ｂを受け部４１ａに２本の固定ねじ４３で固定することにより、当該照明アタッチメント４０をインパクトねじ締め機１に取り付けることができる。取り付けた状態では、スイッチレバー１３を引き操作して電動モータ１２を起動すると、同時に照明具４２が点灯してねじ締めビット２５の先端部付近が明るく照らされ、これにより暗所等のねじ締め作業の便宜が図られる。
【００５１】
照明が不要である場合等には、照明アタッチメント４０を取り外すことができる。照明アタッチメント４０は、２本の固定ねじ４３を外してホルダ部４１ｂを受け部４１ａから分離し、かつ接続部４４を接続受け部４５から引き抜くことにより当該インパクトねじ締め機１から取り外すことができる。照明アタッチメント４０を取り外した状態では、出力部ハウジング２１から下方へはみ出す部位が存在しなくなることから、ねじ締めビット２５及びねじ締め部位の視認性が高まる。
【００５２】
以上のように構成したインパクトねじ締め機１によれば、ねじ締めビット２５の近傍に、照明アタッチメント４０を取り付けることができる。照明アタッチメント４０によりねじ締め部位を明るく照らして暗所等での作業を効率よく行うことができる。照明アタッチメント４０は、不必要時等には簡単に取り外すことができる。照明アタッチメント４０を取り外すと、出力部ハウジング２１から周囲へはみ出す部位がなくなるため、使用者はねじ締めビット２５及びねじ締め部位を見やすくなる。
【００５３】
以上説明した第１実施形態では、動力工具としてアングルタイプのインパクねじ締め機１を例示したが、脱着式の照明アタッチメント４０は電動ドリルや切断機等その他の形態の電動工具、あるいは打ち込み工具等の油空圧機器、ハンディクリーナ等の電気機器等の動力工具に広く適用することができる。電動の動力工具の場合には、例示したバッテリパック３１等を電源とする直流電源式の他、商用１００Ｖの交流電源を電源とする交流電源式の動力工具について例示した照明アタッチメント４０を適用することができる。
【００５４】
図５〜図７には、動力工具として別形態のインパクトねじ締め機５０が示されている。このインパクトねじ締め機５０は、駆動源としての電動モータ５１を内装した工具本体部５２の側部からグリップ部５３が延びるピストル形のねじ締め機である。グリップ部５３の先端に電源部５４が設けられている。図では省略されているが、電源部５４に電源としてのバッテリパックが取り付けられる。グリップ部５３の上部にトリガ形式のスイッチレバー５３ａが設けられている。スイッチレバー５３ａの後ろ側にはスイッチ本体５３ｂが内装されている。グリップ部５３を把持した手の指先でこのスイッチレバー５３ａを引き操作するとスイッチ本体５３ｂがオンして電動モータ５１が起動する。
【００５５】
図７に示すように工具本体部５２は、後ろ側から順に電動モータ５１、遊星ギヤ列５５、打撃機構５６、出力部５７を本体ハウジング５８とハンマーケース５９に内装した構成を備えている。後ろ側の本体ハウジング５８は樹脂製のハウジングで、その後部側は同じく樹脂製の蓋５８ａで閉塞されている。本体ハウジング５８の内側に主として電動モータ５１と遊星ギヤ列５５が内装されている。電動モータ５１の回転出力は遊星ギヤ列５５で減速されて打撃機構５６に伝達される。電動モータ５１には、機長方向（モータ軸線方向）がコンパクトなＤＣブラシレスモータが用いられている。ＤＣブラシレスモータを用いることにより当該インパクトねじ締め機５０の機長方向のコンパクト化（小型化）及び高出力化が図られている。
【００５６】
本体ハウジング５８の前側に金属製のハンマーケース５９が結合されている。ハンマーケース５９の内側に主として打撃機構５６が内装されている。打撃機構５６のアンビルが出力部５７に相当する。打撃機構５６は、前記第１実施形態の打撃機構１６と同様に動作するもので、ねじ締めトルクが増大したときに出力部５７に対してねじ締め方向に打撃を与える機能を有している。打撃機構５６のアンビルに相当する出力部５７の前部はハンマーケース５９から突き出されている。突き出し部分にねじ締めビット６０を取り付けるためのビット取付装置６１が設けられている。
【００５７】
ハンマーケース５９は、その後部側を本体ハウジング５８の前部内周側に進入させた状態で相互に結合されている。本体ハウジング５８の肉厚分だけ一段低くなっているハンマーケース５９の外周面には、ハンマーケースカバー６２が装着されている。ハンマーケースカバー６２は、透明樹脂製で、ハンマーケース５９の発熱を遮断する断熱機能を有している。ハンマーケースカバー６２の前部からハンマーケース５９の前部が突き出されている。図１１に示すようにハンマーケースカバー６２の前部から突き出されたハンマーケース５９の前部には、弾性樹脂製のバンパ６３が取り付けられている。図５〜図７では、このバンパ６３を取り外した状態で示されている。
【００５８】
ハンマーケースカバー６２の前端部には、照明具６５が設けられている。図８に示すように第２実施形態の照明具６５は、３つの発光部６５ａを搭載した円環形状の基板６５ｂを備えている。３つの発光部６５ａにはＬＥＤ（発光ダイオード）が用いられている。３つの発光部６５ａは、基板６５ｂの周方向三等分位置に配置されている。基板６５ｂには、電源部５４に取り付けたバッテリパックの電力の一部が電源として供給される。基板６５ｂには、電力供給用の正負のリード線６６、６７が設けられている。２本のリード線６６，６７の先端部には、接続ピン部６６ａ，６７ａが設けられている。
【００５９】
図１０に示すように基板６５ｂの２本のリード線６６，６７は、それぞれ接続ピン部６６ａ，６７ａを本体ハウジング５８の前端面に設けたコネクタ部６８に差し込んで電源回路側に接続されている。２本のリード線６６，６７は、ハンマーケース５９とハンマーケースカバー６２との間の僅かな隙間を経て後方へ取り回されてコネクタ部６８に接続されている。コネクタ部６８に接続された正負のリード線６６，６７を経て基板６５ｂにバッテリパックの電力が供給される。スイッチレバー５３ａを引き操作して電動モータ５１を起動させると、リード線６６，６７を経て基板６５ｂに電力が供給されることにより、３つの発光部６５ａが点灯する。スイッチレバー５３ａの引き操作を解除して電動モータ５１を停止させると３つの発光部６５ａが消灯する。なお、リード線６６，６７は、ハンマーケースカバー６２に埋設する構成としてもよい。この場合、ハンマーケースカバー６２の後端面に、接続ピン部６６ａ，６７ａを突き出させてリード線６６，６７を埋設しておくことにより、当該ハンマーケースカバー６２をハンマーケース５９の外周に組み付ける段階で、リード線６６，６７の接続作業が完了する構成とすることができる。
【００６０】
照明具６５は、基板６５ｂの内周側にハンマーケース５９の前部を挿通させた状態で、ハンマーケースカバー６２の前部と、バンパ６３の後部との間に挟まれた状態で配置されている。図９に示すようにハンマーケースカバー６２の前端部には、係合縁部６２ｂが設けられている。係合縁部６２ｂは、僅かな幅で内周側へ張り出す状態に設けられている。係合縁部６２ｂは、ハンマーケース５９の前部外周面に設けた係合溝部５９ａに嵌め込まれている。これにより、ハンマーケース５９に対するハンマーケースカバー６２の主として前側についてモータ軸線方向の位置ずれが防止されている。係合縁部６２ｂよりも後ろ側には、同じく内周側に張り出す係合壁部６２ｃが設けられている。図示するように係合壁部６２ｃは、基板６５ｂの前面にほぼ重ね合わせられて、当該基板６５ｂのほぼ全面がハンマーケースカバー６２で覆われた状態となっている。但し、３箇所の発光部６５ａは、係合壁部６２ｃの挿通孔６２ｄを経て前方へ突き出されている。これにより、ハンマーケースカバー６２に対する基板６５ｂの主としてモータ軸線方向の位置ずれが防止されるとともに、基板６５ｂの防塵がなされるようになっている。このように、ハンマーケースカバー６２の係合壁部６２ｃは、基板６５ｂの防塵カバーとしても機能するようになっている。
【００６１】
バンパ６３は、円環形状を有し、その内周側にインパクトケース５９の前部を挿通させた状態でハンマーケースカバー６２の前端面に沿って取り付けられている。バンパ６３は、照明具６５を全周にわたって覆い被さるように取り付けられている。バンパ６３は、発光部６５ａからの発光を前方へ透過すると透過部（透明部）を有している。第２実施形態では、バンパ６３が透明樹脂製であることにより、その全体が透過部として機能する。バンパ６３が透過部を有することにより、３つの発光部６５ａからの発光が前方へ照射され、これによりねじ締めビット６０及びその周辺（ねじ締め部位）が明るく照らされて、ねじ締め作業の便宜が図られる。
【００６２】
以上のように構成した第２実施形態のインパクトねじ締め機５０によれば、３つの発光部６５ａを有する照明具６５が、遮熱用のハンマーケースカバー６２の前部と、衝撃吸収用のバンパ６３の後部との間に挟まれて側方へはみ出さない状態に配置されている。このため、照明具６５により、ねじ締めビット６０及びその周辺に対する使用者の視認性が阻害されることがない。
【００６３】
図１１に示すように樹脂製のハンマーケースカバー６２の上面には、文字等表示部６２ａが設けられている。文字等表示部６２ａには、例えばロゴマーク、図柄、製品名、型式の他、使用上の注意事項等を表示することができる。ロゴマーク等は、当該ハンマーケースカバー６２の成形時に凹凸形状により同時に表示することができる。その他、二色成形、印刷あるいは貼り付けによりロゴマーク等を表示し、さらにはロゴマーク等を表示した金属プレートをハンマーケースカバー６２に埋め込んで表示する構成としてもよい。
【００６４】
図１２には、バンパ６３に文字等表示部６３ａを設けたインパクトねじ締め機５０が示されている。バンパ６３の文字等表示部６３ａにも、ロゴマーク、図柄、製品名、型式の他、各種注意事項等を表示することができ、これらは当該バンパ６３の成形時に表示する他、二色成形、印刷、貼り付け、さらには表示した金属プレートを埋め込んで表示することができる。また、例示した文字等表示部６２ａ，６３ａには、反射材を含めることができる。例えば金属板等の反射材に文字等を表示し、文字等そのものを反射材で表示し、文字等を反射材で縁取り等することにより、当該文字等表示部の視認性を一層高めることができる。
【００６５】
前記したように電動モータ５１として、モータ軸線方向にコンパクトなＤＣブラシレスモータを用いることにより、工具本体部５２の機長方向のコンパクト化（小型化）及び高出力化を図ることができる。工具本体部５２の小型化が図られることにより、その左右側部のロゴマーク等表示部の領域が機長方向に狭くなる。ロゴマーク等表示領域が狭くなると、ロゴマークを小さくせざるを得ず、また注意事項等の表示する情報量を少なくせざるを得なくなる。上記したようにハンマーケースカバー６２やバンパ６３にロゴマーク、製品名、型式、各種注意事項等を表示する文字等表示部６２ａ，６３ａを設定することにより、本体ハウジング５８の左右両側部のロゴマーク等表示部が狭くなった分を補うことができる。
【００６６】
図１３及び図１４には、第３実施形態のインパクトねじ締め機７０が示されている。第３実施形態のインパクトねじ締め機７０は、第２実施形態と同じく電動モータ５１、遊星ギヤ列５５、打撃機構５６及び出力部５７を内装した工具本体部７１と使用者が把持するグリップ部７２と、電源としてのバッテリパック７４を取り付けるための電源部７３を備えている。図１３及び図１４では、出力部５７に設けたビット取付装置６１が工具本体部７１の前部から突き出された状態が示されている。ビット取付装置６１により出力部５７にねじ締めビット６０が取り付けられる。
【００６７】
グリップ部７２の上部前面には、電動モータ５１を起動させるためのスイッチレバー７２ａが設けられている。グリップ部７２の下部に電源部７３が設けられている。電源部７３は、グリップ部７２の下部から主として前方及び左右双方へ張り出す概ね平板形状を有している。この電源部７３の下面にバッテリパック７４が取り付けられる。バッテリパック７４は電源部７３に対して前側へスライドさせて取り外すことができ、後ろ側へスライドさせて取り付けることができる。
【００６８】
電源部７３の上面には、表示部７５が設けられている。この表示部７５には、表示ディスプレイ７６として有機ＥＬ（有機エレクトロルミネッセンス、有機発光ダイオード）が用いられている。表示部７５の下方には、コントローラ７９が内装されている。コントローラ７９は、電源回路及びモータ制御回路を含む基板を矩形底浅のケースに内装して樹脂モールドしたもので、電源部７３の下面側に沿って組み込まれている。図１５に示すようにこのコントローラ７９の電源回路から上方へ延びる２本のリード線７７，７８を経て表示ディスプレイ７６に電源が供給される。図１６に示すように表示ディスプレイ７６には、動作モードを切り替えるモード切替ボタン７５ａ、打撃力を報知するための打撃力表示部７５ｂ、バッテリパック７４の残容量を報知するための残容量表示部７５ｃが設けられている。
【００６９】
有機ＥＬである表示ディスプレイ７６は、照明としての機能（有機ＥＬ照明）を有している。図１４に示すように表示ディスプレイ７６の発光は、斜め上方に位置するねじ締めビット６０及びその周辺に向けられて照射される。このことから、第３実施形態における表示部７５は、各種の報知機能に加えて、前記第１実施形態における照明アタッチメント４０、第２実施形態の照明具６５と同様ねじ締め部位を明るく照らす照明具としての機能を有している。
【００７０】
以上説明した第３実施形態によれば、電源部７３に設けた表示部７５からねじ締めビット周辺（加工部位周辺）に光が照射される。このため、使用者のねじ締め部位に対する視認性を損なうことなくねじ締め部位を明るく照らして暗所等でのねじ締め作業を効率よく行うことができるようになる。
【００７１】
以上説明した各実施形態にはさらに種々変更を加えることができる。例えば、第１実施形態に係る照明アタッチメント４０、第２実施形態に係る照明具６５、第３実施形態にか係る表示ディスプレイ７６の電力を動力工具の電源（バッテリパック）から供給する構成を例示したが、それぞれ乾電池やボタン電池等の独自の電源を備える構成としてもよい。
【００７２】
また、動力工具としてインパクト式のねじ締め機(回転打撃工具）を例示したが、特に第１実施形態に係る脱着可能な照明アタッチメント４０、及び第３実施形態に係る有機ＥＬを照明具として機能させる発明については、穴あけ用の電動ドリル、レシプロソー等の切断機、ディスクグラインダ、圧縮エア駆動式の釘打ち機、芝刈り機や草刈機等の園芸用工具等その他の形態の動力工具に広く適用することができ、さらには動力工具以外であっても、ブロワ、ハンディクリーナ、扇風機、コンプレッサ、照明機器、コーヒーメーカー、ラジオ等の各種の電気機器にも適用することができる。
【００７３】
第２実施形態において、基板６５ｂに発光部６５ａを搭載した照明具６５をインパクトケースカバー５９とバンパ６３との間に挟み込んで保持する構成を例示したが、当該照明具６５をインパクトケースカバーの樹脂成形時に組み込んで一体化する構成としてもよい。
【００７４】
第２実施形態の照明具６５と第３実施形態に係る照明具（表示ディスプレイ）の双方を備えたインパクトねじ締め機とすることができる。
【００７５】
第１〜第３実施形態において、バッテリパックを電源とする充電式の動力工具（インパクトねじ締め機）を例示したが、商用１００Ｖの交流電源を電源とする動力工具（ＡＣ機）について例示した照明具を適用することができる。
【符号の説明】
【００７６】
１…インパクトねじ締め機（第１実施形態）
１０…工具本体部
１１…本体ハウジング
１２…電動モータ、１２ａ…駆動ギヤ
１３…スイッチレバー
１４…スイッチ本体
１５…遊星ギヤ列、１５ａ…駆動軸部
１６…打撃機構
１６ａ…鋼球、１６ｂ…圧縮ばね、１６ｃ…ハンマー、１６ｄ…アンビル、１６ｅ…軸受
２０…出力部
２１…出力部ハウジング
２１ａ…インパクトケース部、２１ｂ…ギヤケース部
２２…中間軸
２２ａ…駆動側かさ歯車、２２ｂ…軸受
２３…出力軸
２３ａ…従動側かさ歯車、２３ｂ，２３ｃ…軸受
２４…ビット取付装置
２５…ねじ締めビット
３０…電源部
３１…バッテリパック
４０…照明アタッチメント
４１…基台部、４１ａ…受け部、４１ｂ…ホルダ部
４２…照明具
４３…固定ねじ
４４…接続部
４５…接続受け部
５０…インパクトねじ締め機（第２実施形態）
５１…電動モータ
５２…工具本体部
５３…グリップ部、５３ａ…スイッチレバー、５３ｂ…スイッチ本体
５４…電源部
５５…遊星ギヤ列
５６…打撃機構
５７…出力部
５８…本体ハウジング、５８ａ…蓋
５９…ハンマーケース、５９ａ…係合溝部
６０…ねじ締めビット
６１…ビット取付装置
６２…ハンマーケースカバー
６２ａ…文字等表示部、６２ｂ…係合縁部、６２ｃ…係合壁部、６２ｄ…挿通孔
６３…バンパ、６３ａ…文字等表示部
６５…照明具、６５ａ…発光部、６５ｂ…基板
６６、６７…リード線、６６ａ，６７ａ…接続ピン部
６８…コネクタ部
７０…インパクトねじ締め機（第３実施形態）
７１…工具本体部
７２…グリップ部
７３…電源部
７４…バッテリパック
７５…表示部
７５ａ…モード切替ボタン、７５ｂ…打撃力表示部、７５ｃ…残容量表示部
７６…表示ディスプレイ（有機ＥＬ）
７７，７８…リード線
７９…コントローラ
【図１】
2018008356.tif 000003
【図２】
2018008356.tif 000004
【図３】
2018008356.tif 000005
【図４】
2018008356.tif 000006
【図５】
2018008356.tif 000007
【図６】
2018008356.tif 000008
【図７】
2018008356.tif 000009
【図８】
2018008356.tif 000010
【図９】
2018008356.tif 000011
【図１０】
2018008356.tif 000012
【図１１】
2018008356.tif 000013
【図１２】
2018008356.tif 000014
【図１３】
2018008356.tif 000015
【図１４】
2018008356.tif 000016
【図１５】
2018008356.tif 000017
【図１６】
2018008356.tif 000018